(57)【要約】【課題】溶接を使用せずにサッシと窓の開口部との間隔を短時間で簡単に保持できる手段を提供する。【解決手段】固定具は、サッシ８０の横外枠に着脱可能に取付けられる係合具１と、サッシ８０が設置される窓の開口部９０に取付けられる被係合具２とからなる。係合具１は、サッシ８０の横外枠にスライド可能に嵌合される支持片１０と、被係合具２に対して進退可能となるようにスリット穴２１を有する可動部２０と、スリット穴２１に挿通されて可動部２０を被係合具２に対して任意の位置で支持片１０に固定するネジ３０と、可動部２０の先端部に当該可動部２０の可動平面方向に垂直方向に突設されて被係合具２に係合する突部４０とを有する。被係合具２は、係合具１の突部４０が嵌入される穴５２を有する。【選択図】　　　図６
2004027503.tif 000002
【特許請求の範囲】
【請求項１】
サッシの横外枠に着脱可能に取付けられる係合具と、サッシが設置される窓の開口部に前記係合具に対応して取付けられる被係合具とからなる固定具であって、
前記係合具は、サッシの横外枠にスライド可能に嵌合される支持片と、前記被係合具に対して進退可能となるように支持片に固定される可動部と、この可動部を支持片に固定する締結部材と、可動部の先端部に突設されて前記被係合具に係合する突部とを有し、
前記被係合具は、前記係合具の突部が嵌入される穴を有し、
前記係合具の突部を前記被係合具の穴に嵌入させた状態で係合具の締結部材により可動部を支持片に固定することで、サッシと窓の開口部との間隔を保持するようにしたことを特徴とするサッシの固定具。
【請求項２】
前記係合具の支持片は長方形状であり、この長方形状の支持片の両短辺側にそれぞれ切り起こし部を設け、この切り起こし部と当該切り起こし部によって形成された残部とでサッシの横外枠の一対の突出対向部を挟持することを特徴とする請求項１記載のサッシの固定具。
【請求項３】
前記係合具の突部は円柱形状であり、前記被係合具の穴は、円柱形状の突部の直径とほぼ同じ幅を有することを特徴とする請求項１又は請求項２記載のサッシの固定具。
【請求項４】
サッシの横外枠に着脱可能に取付けられる係合具と、サッシが設置される窓の開口部に前記係合具に対応して取付けられる被係合具とからなる固定具であって、
前記係合具は、サッシの横外枠にスライド可能に嵌合される支持片と、前記被係合具に対して進退可能となるように支持片に固定される可動部と、この可動部を支持片に固定する締結部材と、可動部の先端部に突設されて前記被係合具に係合する突部とを有し、
前記被係合具は、前記係合具の突部が嵌入される穴を有する固定具を用い、
予め前記被係合具を窓の開口部に取付けておき、窓の開口部に対してサッシを位置決めした後、前記係合具の支持片をサッシの横外枠に嵌合させてから、必要に応じて係合具を横外枠に沿ってスライドさせると共に、その可動部を移動させて突部を被係合具の穴に嵌入させ、この嵌入状態で締結部材により可動部を支持片に固定することで、サッシと窓の開口部との間隔を保持することを特徴とするサッシの固定方法。
【発明の詳細な説明】
【０００１】
【発明の属する技術分野】
この発明は、窓の開口部にサッシを取付けるときにサッシと開口部との間隔を保持するのに使用するサッシの固定具、並びにその固定具を用いたサッシの固定方法に関する。
【０００２】
【従来の技術】
図９に概略図で示すように、家屋等では窓の開口部（コンクリートや鉄骨からなるもの）９０にアルミサッシ８０を取付けたり、木製の窓枠をアルミサッシ８０に交換する場合がある。例えば窓の開口部９０にアルミサッシ８０を取付ける場合、開口部９０に対するアルミサッシ８０の前後方向、上下方向、左右方向の位置を微調整するために、例えば木製の楔（図示せず）を開口部９０とアルミサッシ８０との間に打ち込んだ後、アルミサッシ８０と開口部９０との間隔Ｗを維持するために、溶接部１００を設けている。
【０００３】
この溶接部１００は、例えば図１０（図９の円形部分Ｃの拡大図）に示すようなものである。図１０の（ａ）では、アルミサッシ８０の横外枠に溶接材１０１を取付け、開口部９０にも溶接材１０２を取付けておき、アルミサッシ８０の位置決め後に両溶接材１０１，１０２を溶接したものである。図１０の（ｂ）では、アルミサッシ８０の横外枠に溶接材１０１を取付け、開口部９０にはアンカーボルト１０３を設けておき、位置決め後に鉄筋１０４を介して両溶接材１０１，１０３を溶接によりつないだものである。
【０００４】
【発明が解決しようとする課題】
しかしながら、溶接部１００によりアルミサッシ８０と窓の開口部９０との間隔Ｗを維持する場合、溶接は手間が掛かる上に、火花が出るので、新築工事のときは別として、改装工事などでサッシを交換するときは、窓のカーテン・ブラインド、窓の周囲の襖、家具、建具、その他の可燃性物などを退けておく必要がある。
【０００５】
この発明は、そのような問題点に着目してなされたものであって、溶接を使用せずにサッシと窓の開口部との間隔を短時間で簡単に保持できる手段を提供することを目的としている。
【０００６】
【課題を解決するための手段】
前記目的は、本発明のサッシの固定具により達成される。すなわち、請求項１記載のサッシの固定具は、サッシの横外枠に着脱可能に取付けられる係合具と、サッシが設置される窓の開口部に前記係合具に対応して取付けられる被係合具とからなる固定具であって、前記係合具が、サッシの横外枠にスライド可能に嵌合される支持片と、前記被係合具に対して進退可能となるように支持片に固定される可動部と、この可動部を支持片に固定する締結部材と、可動部の先端部に突設されて前記被係合具に係合する突部とを有し、前記被係合具が、前記係合具の突部が嵌入される穴を有し、前記係合具の突部を前記被係合具の穴に嵌入させた状態で係合具の締結部材により可動部を支持片に固定することで、サッシと窓の開口部との間隔を保持するようにしたことを特徴とする。
【０００７】
この固定具では、係合具の突部を被係合具の穴に嵌入させてから、締結部材により可動部を支持片に固定すればよいので、サッシと窓の開口部との間隔を短時間で簡単に保持することができる。しかも、溶接を使用しないので、火花が飛散することもなく、特に改装工事などでサッシを交換する場合に、窓のカーテン・ブラインド、窓の周囲の襖、家具、建具、その他の可燃性物などを退ける必要がなく、作業が楽である。
【０００８】
この固定具を用いたサッシの固定は、請求項４記載の固定方法のように行う。すなわち、本発明のサッシの固定方法は、上記固定具を用い、予め前記被係合具を窓の開口部に取付けておき、窓の開口部に対してサッシを位置決めした後、前記係合具の支持片をサッシの横外枠に嵌合させてから、必要に応じて係合具を横外枠に沿ってスライドさせると共に、その可動部を移動させて突部を被係合具の穴に嵌入させ、この嵌入状態で締結部材により可動部を支持片に固定することで、サッシと窓の開口部との間隔を保持することを特徴とする。
【０００９】
この固定方法によれば、溶接を用いないので、溶接熟練工でなくても、簡単に短時間でサッシと窓の開口部との間隔を保持することができる。
【００１０】
なお、本発明において、サッシとは、一般に用いられるアルミサッシだけでなく、スチールサッシ等の金属製のものを広く含んでいる。
【００１１】
【発明の実施の形態】
以下、実施の形態により、この発明を更に詳細に説明する。
【００１２】
一実施形態に係るサッシの固定具における係合具の平面図を図１に、図１の矢視Ｅから見た側面図を図２の（ａ）に、図１の矢視Ｆから見た側面図（背面図）を図２の（ｂ）に示す。
【００１３】
この固定具の係合具１は、アルミサッシ８０の横外枠にスライド可能に嵌合される支持片１０と、被係合具２に対して進退可能となるようにスリット穴２１を有する可動部２０と、この可動部２０のスリット穴２１に挿通されて可動部２０を被係合具２に対して任意の位置で支持片１０に固定するネジ（締結部材）３０と、可動部２０の先端部に当該可動部２０の可動平面方向に垂直方向に突設されて被係合具２に係合する突部４０とを有する。
【００１４】
支持片１０は長方形状であり、この長方形状の支持片１０の両短辺側にはそれぞれ切り起こし部１１が形成されている。切り起こし部１１は、両短辺側に２本の切り込みを入れ、その切り込み部分を後側（前側でもよい）に幾分曲げることにより形成される。この切り起こし部１１が形成されることにより、短辺側にそれぞれ２つの残部１２が残るので、切り起こし部１１と残部１２とでアルミサッシ８０の横外枠の一対の突出対向部８１を挟持すること（図４参照）で、係合具１がアルミサッシ８０に取付けられる。また、切り起こし部１１と残部１２はアルミサッシ８０の突出対向部８１を挟持しているだけなので、或る程度の強さの力を加えれば、係合具１を一対の突出対向部８１に沿ってスライドさせることができる。
【００１５】
可動部２０は、長円形のスリット穴２１を有し、支持片１０の一方側の長辺の中央に直角に延設された取付部１３に、スリット穴２１に挿通したネジ３０により任意の位置で固定される。ネジ３０を緩めた状態では、可動部２０は前後方向（矢印Ａ方向）に移動可能であるだけでなく、ネジ３０を支点として矢印Ｂ方向に回転可能である。
【００１６】
突部４０は、円柱形状であり、その基端側の細径部分４１が可動部２０の先端部に例えば螺合されることにより取付けられる。
【００１７】
一方、固定具の被係合具２は、その一部省略斜視図を図３に示すように、アルミサッシ８０の横外枠（１辺）に沿う長さを有するプレート５０の適所（例えば図９に示す２箇所の溶接部１００に相当する２箇所）に設けられた、上記係合具１の突部４０が嵌入される穴５２を有する。ここでは、穴５２は、プレート５０をプレス成形して一方面側に隆起部５１を設けることで形成されているが、例えば隆起部５１のような形状の部品をプレート５０に溶接等により接合してもよい。
【００１８】
穴５２は、円柱形状の突部４０の直径Ｄ〔図２の（ａ）参照〕とほぼ同じ幅ｄを有する。従って、突部４０を穴５２に嵌入させるときは、突部４０を穴５２に押し込むようにする。これにより、突部４０を穴５２に一旦嵌入させれば、突部４０が穴５２内でがたつくようなことがない。
【００１９】
また、プレート５０の穴５２付近には、被係合具２を窓の開口部９０に取付けるためのネジ穴５３が形成されている。
【００２０】
このように構成した固定具における係合具１は、図４（部分拡大正面図）に示すようにアルミサッシ８０の横外枠に取付けられる。アルミサッシ８０の横外枠には、一般に一対の突出対向部８１があり、この突出対向部８１は、アルミサッシ８０の横外側に向かって突出する断面コ字状のものである。従って、係合具１の支持片１０の切り起こし部１１と残部１２で突出対向部８１を挟み込めば、係合具１が一対の突出対向部８１間に架設された様態となる。また、前記したように、支持片１０の切り起こし部１１と残部１２は突出対向部８１を挟持しているだけなので、或る程度の強さの力を加えれば、係合具１を一対の突出対向部８１に沿ってスライドさせることができる。
【００２１】
一方、固定具における被係合具２は、図５（部分拡大正面図）に示すように予め窓の開口部９０に取付けられる。すなわち、被係合具２のプレート５０がネジ穴５３に通されたネジ５５により開口部９０に固定される。このプレート５０は、開口部９０の４辺に沿ってそれぞれ取付けられる。プレート５０の固定状態では、各プレート５０はアルミサッシ８０の横外枠（１辺）に対向する。
【００２２】
被係合具２を開口部９０に取付けた上で、開口部９０に対してアルミサッシ８０の前後方向、上下方向、左右方向の位置を微調整するために、例えば木製の楔（図示せず）を開口部９０とアルミサッシ８０との間に打ち込む。その後、前記したように係合具１をアルミサッシ８０の横外枠に取付け、必要に応じて係合具１を横外枠に沿ってスライドさせて被係合具２に近づける。そして、図６に示すように、係合具１の可動部２０を前後に動かしたり回転させて、突部４０を被係合具２の穴５２（隆起部５１）内に押し込むようにして嵌入させる。その嵌入状態で、ネジ３０により可動部２０を支持片１０の取付部１３に固定する。
【００２３】
この固定具による固定は、例えば図９に示すようにアルミサッシ８０の４つの横外枠についてそれぞれ２箇所で行われる。これにより、アルミサッシ８０と開口部９０との間隔Ｗを保持することができる。但し、固定具による固定箇所は、１つの横外枠について２箇所である必要はなく、アルミサッシ８０の大きさによって異なる。
【００２４】
なお、固定具によりアルミサッシ８０と開口部９０との間隔Ｗを保持した後は、必要に応じてアルミサッシ８０と開口部９０との間隙にコンクリートを流し込み、アルミサッシ８０を開口部９０に強固に固定する。
【００２５】
このように、この固定具では、被係合具２を予め開口部９０に取付けておき、アルミサッシ８０の位置決め後に、アルミサッシ８０の横外枠の一対の突出対向部８１に嵌合させた係合具１の突部４０を被係合具２の穴５２に嵌入させ、ネジ３０を締めればよいので、簡単に短時間でアルミサッシ８０と開口部９０との間隔Ｗを保持できる。しかも、溶接を使用しないので、窓のカーテン・ブラインド、窓の周囲の襖、家具、建具、その他の可燃性物などを退けておく必要がなく、楽に作業を行うことができる。
【００２６】
上記実施形態に示す固定具は一例であり、図示したものに限定されないのは勿論である。例えば、上記係合具１では、突部４０は可動部２０に別部品として取付けられているが、可動部２０に一体形成してもよい。つまり、可動部２０が先端部に一体の突部４０を有するＬ字状のものであってもよい。また、上記被係合具２では、穴５２は幅ｄに垂直な方向に長くなっているが、係合具１の突部４０が１個分だけ嵌入する大きさであってもよい。
【００２７】
次に、別形態に係る係合具の平面図を図７に、図７の矢視Ｇから見た側面図を図８の（ａ）に、図７の矢視Ｈから見た側面図（背面図）を図８の（ｂ）に示す。但し、上記係合具１と同じ要素には同一符号を付してある。
【００２８】
この係合具１′では、支持片１０は上記係合具１と同じであるが、支持片１０の取付部１３にスリーブ状部材３１がネジ３０により取付けられ、スリーブ状部材３１にＬ字状の可動部２５が挿通されている。ネジ３０は取付部１３及びスリーブ状部材３１を貫通しているので、ネジ３０を緩めれば、可動部２５を矢印Ａ方向に移動させることができ、ネジ３０を締めれば、可動部２５をスリーブ状部材３１と一体に任意の位置で支持片１０に固定できる。
【００２９】
突部２６を一体に有する可動部２５は、例えば棒状部材を先端部で直角に折り曲げることで作製される。これにより、可動部２５の先端部で当該可動部２５の可動平面方向に垂直方向に曲がる突部２６が形成される。
【００３０】
なお、上記係合具１，１′のネジ３０は、蝶ネジでもよい。ネジ３０の場合は、ドライバーで回す必要があるが、蝶ネジでは手で回すことができ、工具を要しない。
【００３１】
【発明の効果】
以上説明したように、本発明のサッシの固定具及び固定方法によれば、係合具の突部を被係合具の穴に嵌入させてから、締結部材により可動部を支持片に固定すればよいので、サッシと窓の開口部との間隔を短時間で簡単に保持することができる。しかも、溶接を使用しないので、火花が飛散することもなく、特に改装工事などでサッシを交換する場合に、窓のカーテン・ブラインド、窓の周囲の襖、家具、建具、その他の可燃性物などを退ける必要がなく、作業が楽である。
【図面の簡単な説明】
【図１】一実施形態に係るサッシの固定具における係合具の平面図である。
【図２】同係合具を図１の矢視Ｅから見た側面図（ａ）、及び図１の矢視Ｆから見た側面図（背面図）（ｂ）である。
【図３】同固定具における被係合具の一部省略斜視図である。
【図４】同固定具の係合具をアルミサッシの横外枠に取付けた状態での部分拡大正面図である。
【図５】同固定具の被係合具を窓の開口部に取付けた状態での部分拡大正面図である。
【図６】同固定具の係合具と被係合具を係合させたときの部分拡大側面図である。
【図７】同固定具の別形態に係る係合具の平面図である。
【図８】同係合具を図７の矢視Ｇから見た側面図（ａ）、及び図７の矢視Ｈから見た側面図（背面図）（ｂ）である。
【図９】アルミサッシと窓の開口部との間隔を溶接部により保持したときの様子を示す概略正面図である。
【図１０】図９の円形部分Ｃにおける溶接部の１形態の拡大図（ａ）、及び同溶接部の別形態の拡大図（ｂ）である。
【符号の説明】
１，１′　　　係合具
２　　　　　　被係合具
１０　　　　　支持片
１１　　　　　切り起こし部
１２　　　　　残部
１３　　　　　取付部
２０，２５　　可動部
２１　　　　　スリット穴
２６，４０　　突部
３０　　　　　ネジ（締結部材）
３１　　　　　スリーブ状部材
５１　　　　　隆起部
５２　　　　　穴
８０　　　　　アルミサッシ
８１　　　　　突出対向部
９０　　　　　窓の開口部
【図１】
2004027503.tif 000003
【図２】
2004027503.tif 000004
【図３】
2004027503.tif 000005
【図４】
2004027503.tif 000006
【図５】
2004027503.tif 000007
【図６】
2004027503.tif 000008
【図７】
2004027503.tif 000009
【図８】
2004027503.tif 000010
【図９】
2004027503.tif 000011
【図１０】
2004027503.tif 000012